(57)【要約】      （修正有）【課題】最適な組み合わせによって強固な戻り止めが実現される中ボルトの耐久性能を高めることができる鋼構造建築物用中ボルト連結構造を提供する。【解決手段】中ボルト連結構造は、鋼構造建築物のボルト接合に使用される中ボルト１１に予め平座金１２を組み合わせた座金付ボルト１０と、六角ナット２１に皿ばね座金２２を組み合わせた皿ばねナット２０と、で構成される。座金付ボルトと皿ばねナットとの鉄素地表面にめっき層を形成し、めっき層の表面を被覆するコーティング層を形成する。接合部母材から接合材に座金付ボルトを貫通させ、中ボルトの頭部と平座金とを接合部母材側に圧着し、中ボルトにネジ止めする皿ばねナットを圧着して鋼構造建築物を連結する。【選択図】図１
0003230995.tif 000002
【実用新案登録請求の範囲】
【請求項１】
鋼構造建築物のボルト接合に使用される中ボルトに予め平座金を組み合わせた座金付ボルトと、中ボルトにネジ止めされる六角ナットに皿ばね座金を組み合わせた皿ばねナットとで構成された中ボルト連結構造において、座金付ボルトと皿ばねナットとの鉄素地表面に、金属めっきによるめっき層と、めっき層の表面を被覆するコーティング層とが形成されたことを特長とする鋼構造建築物用中ボルト連結構造。
【請求項２】
前記めっき層は、溶融亜鉛錫合金めっきで形成され、前記コーティング層は、シリカ系コーティング剤又はフッ素系コーティング剤にて形成された請求項１記載の鋼構造建築物用中ボルト連結構造。
【請求項３】
前記座金付ボルトは、ネジ部の呼び径及び首下長さと、ねじの強度を示す強度区分とのいずれか一方、または両方を表示する表示部を前記座金付ボルトの頭部に備えた請求項１記載の鋼構造建築物用中ボルト連結構造。
【請求項４】
前記鋼構造建築物は、建築工事標準仕様書JASS6鉄骨工事に準拠する前記鋼構造建築物であり、前記座金付ボルトは、JIS B1180に規定される中ボルトと、JIS B1256に規定される平座金とで構成され、前記皿ばねナットは、JIS B1181に規定される六角ナットと、JIS B1252に規定される前記皿ばね座金とで構成された請求項１乃至３いずれか記載の鋼構造建築物用中ボルト連結構造。
【考案の詳細な説明】
【技術分野】
【０００１】
本考案は、例えば胴縁やブラケット等の構造物を連結する鋼構造建築物用中ボルト連結構造に係るもので、例えば、プレハブ住宅等の比較的軽微な構造物のボルト接合に使用される鋼構造建築物用中ボルト連結構造に関する。
【背景技術】
【０００２】
鋼構造建築物では、一般に高力ボルト及び中ボルトが使用されている。高力ボルトは、ボルト、ナット、座金のセットとしてJIS B1186に寸法や形状、品質等が規定されている。一方、中ボルトの寸法、形状及び品質はJIS B1180に規定されており、この中ボルトに使用するナット、座金は、それぞれJIS B1181、JIS B1256に規定されている。このように鋼構造建築物で使用される中ボルトは、法的な許容応力度が高力ボルトと明確に区別されているものである。
【０００３】
建築基準法施工令において、中ボルト接合による場合は、戻り止めの処置をすることが義務付けられているが、高力ボルトのように、ボルト、ナット、座金がJIS B1186にセットで規定されていないので、中ボルトを使用する際には、ボルト、ナット、座金を特記することになっている。この特記がない場合は、JIS B1181、JIS B1256にそれぞれ規定されているナットや座金から適宜選択することが義務付けられている。
【０００４】
ところが、特記がない状態で中ボルトを使用する場合、実際には、様々な戻り止めの組み合わせがある。例えば、平座金と六角ナットとを組み合わせるほか、六角ナットを２個用いるダブルナットの組み合わせや、弾性力を有するスプリング座金を組み合わせる方法、あるいはこれらを適宜組み合わせる方法などである。
【０００５】
一方、従来では、確実な戻り止め効果が得られるように、鋼構造建築物で使用される胴縁にパネルや化粧板等を固定するための特殊なボルトやナットが種々提案されている。
【０００６】
特許文献１に記載されているボルト及びナットは、胴縁にパネルを固定するための取付ボルト及びナットである。この取付ボルトは、特に胴縁の取付溝に挿入可能な頭部を形成することで、この取付ボルトの回転を防止しようとするものである。
【０００７】
また、特許文献２に記載されているボルトにおいても、下地胴縁に形成されたレール溝に、ボルトの頭部を回転不可能に挿入する手段を採用している。すなわち、レール溝にボルトの頭部を固定し、このボルトのネジ部に座金やダブルナット等を解して化粧板やアングル材等を連結する構造が示されている。
【０００８】
特許文献１、２はいずれも、胴縁に設けられた取付溝やレール溝にボルトの頭部を固定してボルトの回転を防止するものである。したがって、この種の従来のボルト及びナットは、取付溝やレール溝が形成されている特殊な胴縁の使用に限られるもので、鋼構造建築物で用いられる一般の胴縁やアングル材等の構造物を連結することは困難である。
【０００９】
一方、母屋、胴縁といった一般の構造物を中ボルトで連結する場合は、前述のように、JIS B1181や、JIS B1256などに規定されているナットや座金形状から選択することになる。しかしながら、使用する中ボルトに対し、どのようなナットや座金を選択すべきか明確に規定されていないことから、選択を迷うことが多く、合理的な作業の妨げになっている。
【００１０】
しかも、中ボルトを躯体の接合部に使用する場合、六角ナット３１・ばね座金３３・平座金３２・六角ボルト３０という順番で使用される（図６参照）。特に、準拠する基準としてJASS6が掲げられて特記がない場合には、座金の省略はできない。そのため、作業者は、これらの六角ナット３１・ばね座金３３・接合部母材・平座金３２・六角ボルト３０という順番で、中ボルトを挿入して連結する作業になる。この場合、作業用手袋を着用しての作業になるので連結作業は極めて作業能率が悪いものであった。
【００１１】
そこで当考案者は、先に建築工事標準仕様書JASS6鉄骨工事で使用する中ボルトにおいて、ナットや座金の選択が不要になる特許文献３に記載の中ボルト連結構造を提案している。
【００１２】
この中ボルト連結構造によると、接合部母材から接合材に座金付ボルトを貫通させた状態で中ボルトの頭部と平座金とを接合部母材側に圧着し、中ボルトにネジ止めする皿ばねナットを接合材側に圧着して鋼構造建築物を連結するように設けたことで、ナットや座金の選択が不要になり、しかも、最適な組み合わせによって強固な戻り止め効果が得られるものである。
【先行技術文献】
【特許文献】
【００１３】
【特許文献１】特開２０００−２２２１号公報
【特許文献２】実開平５−７１２２０号公報
【特許文献３】実用新案登録第３１６１３０３号公報
【考案の概要】
【考案が解決しようとする課題】
【００１４】
中ボルト連結構造に使用するボルトやナット、座金等は、鋼構造建築物に使用されるものであるから、長期の耐久性が求められる。ところが、ボルトやナット等が異種金族に接触すると異種金属接触腐食による赤錆や白錆等が発生し、ボルトやナット等の寿命が短くなる課題があった。
【００１５】
そこで本考案は上述の課題を解消すべく案出されたもので、鋼構造建築物で使用する中ボルト連結構造において、異種金属接触腐食による赤錆や白錆等の発生を抑止し、ボルトやナット等の耐久性を高めることができる鋼構造建築物用中ボルト連結構造の提供を目的とするものである。
【課題を解決するための手段】
【００１６】
上述の目的を達成すべく本考案の第１の手段は、鋼構造建築物のボルト接合に使用される中ボルト１１に予め平座金１２を組み合わせた座金付ボルト１０と、中ボルト１１にネジ止めされる六角ナット２１に皿ばね座金２２を組み合わせた皿ばねナット２０とで構成された鋼構造建築物を連結する中ボルト連結構造において、座金付ボルト１０と皿ばねナット２０との鉄素地Ｒ表面に、金属めっきによるめっき層１と、めっき層１の表面を被覆するコーティング層２とが形成されたものである。
【００１７】
第２の手段の前記めっき層１は、溶融亜鉛錫合金めっきで形成され、前記コーティング層２は、シリカ系コーティング剤又はフッ素系コーティング剤にて形成されたものである。
【００１８】
第３の手段の前記座金付ボルト１０は、ネジ部の呼び径及び首下長さと、ねじの強度を示す強度区分とのいずれか一方、または両方を表示する表示部１１Ａを前記座金付ボルト１０の頭部に備えている。
【００１９】
第４の手段の前記鋼構造建築物は、建築工事標準仕様書JASS6鉄骨工事に準拠する前記鋼構造建築物であり、前記座金付ボルト１０は、JIS B1180に規定される中ボルト１１と、JIS B1256に規定される平座金１２とで構成され、前記皿ばねナット２０は、JIS B1181に規定される六角ナット２１と、JIS B1252に規定される前記皿ばね座金２２とで構成されたものである。
【考案の効果】
【００２０】
本考案の請求項１の如く、座金付ボルト１０と皿ばねナット２０との鉄素地Ｒ表面に、金属めっきによるめっき層１と、めっき層１の表面を被覆するコーティング層２とが形成されたことにより、座金付ボルト１０や皿ばねナット２０が異種金属に接触しても、異種金属接触腐食による赤錆や白錆等の発生を抑止することができる。この結果、本考案中ボルト連結構造の耐久性能を高めることができた。
【００２１】
しかも、接合部母材Ｐから接合材Ｑに座金付ボルト１０を貫通させた状態で中ボルト１１の頭部と平座金１２とを接合部母材Ｐ側に圧着し、中ボルト１１にネジ止めする皿ばねナット２０を接合材Ｑ側に圧着して鋼構造建築物を連結することができるので、ナットや座金の選択が不要になり、しかも、最適な組み合わせによって極めて強固な戻り止めになる。このように、座金付ボルト１０や皿ばねナット２０を使用することで、極めて迅速な連結作業が可能になるものである。
【００２２】
請求項２のように、めっき層１は、溶融亜鉛錫合金めっきで形成されているので、金属製のボルトやナットに適しためっき層１が形成される。更に、コーティング層２を、シリカ系コーティング剤又はフッ素系コーティング剤にて形成することで、溶融亜鉛錫合金めっきで形成されためっき層１に適した保護が可能になるものである。
【００２３】
更に、請求項３のごとく、ネジ部の呼び径及び首下長さと、ねじの強度を示す強度区分とのいずれか一方、または両方を表示する表示部１１Ａを座金付ボルト１０の頭部に備えているので、鋼構造建築物の工事に適した座金付ボルト１０を容易に選択することができる。
【００２４】
また、請求項４のような構成により、準拠する基準としてJASS6が掲げられて特記がない場合でも、最適な仕様の座金付ボルト１０や皿ばねナット２０を予め設けておくことが可能になり、たとえ特記がない場合でも、法的な許容応力度を満たした連結作業を確実、且つ迅速に行うことができる。
【図面の簡単な説明】
【００２５】
【図１】本考案の一実施例を示す分解斜視図である。
【図２】本考案の座金付ボルトの表示部を示す正面図である。
【図３】本考案の皿ばねナットを示す側面図である。
【図４】本考案の使用例を示す側面図である。
【図５】本考案の被膜層とコーティング層とを示す拡大断面図である。
【図６】従来の中ボルトの組み合わせ例を示す側面図である。
【考案を実施するための形態】
【００２６】
以下、本考案の一実施例を説明する。本考案の中ボルト連結構造は、鋼構造建築物のボルト接合に中ボルトを使用して連結する構造にある。すなわち、建築工事標準仕様書JASS6鉄骨工事に準拠する鋼構造建築物において、中ボルトはJIS B1180（六角ボルト）の区分４．８とし、ナットはJIS B1181（六角ナット）の区分５、座金はJIS B1256（平座金）の平座金、またはJIS B1251（ばね座金）のばね座金、またはJIS B1252（ばね座金）のばね座金とし、仕上げ程度は中以上とすると規定されている。
【００２７】
そこで、本考案では、このような規定のボルト、ナット、座金を予め組み合わせておくことで、鋼構造建築物のボルト接合作業の合理化を図るものである。本考案では、中ボルト１１に平座金１２を組み合わせた座金付ボルト１０と、六角ナット２１に皿ばね座金２２を組み合わせた皿ばねナット２０とを連結する構造である（図１参照）。
【００２８】
座金付ボルト１０は、中ボルト１１に予め平座金１２をセムスしたものである。すなわち、転造前に、中ボルト１１のネジ径よりも孔径の小さいセムス用の平座金１２を組み込み、その後に転造することで、平座金１２が外れないようにしている。中ボルト１１は、主に胴縁用として使用されているＭ１２などの中ボルト１１が使用される。
【００２９】
この座金付ボルト１０の頭部に表示部１１Ａが形成されている（図２参照）。この表示部１１Ａには、ネジ部の呼び径及び首下長さや、ねじの強度を示す強度区分が表示されている。例えば、「１２×３５」の表示は、Ｍ１２のボルトで首下長さが３５mmであることを示している。また、「６．８」の表示は、ねじの強度を示す強度区分を示している。この強度区分の表示によって、用途に適した使用が可能になる。
【００３０】
一方、皿ばねナット２０は、六角ナット２１に皿ばね座金２２を組み合わせた皿ばねナット２０を使用する（図３参照）。この皿ばね座金２２を組み合わせることで、従来のばね座金３３やダブルナットと組み合わせる構成よりも高い緩み止め効果が得られる。また、この皿ばね座金２２の外径を一回り大きくすることで、ルーズ孔などにも使用可能になる（図示せず）。
【００３１】
これらの座金付ボルト１０及び皿ばねナット２０の鉄素地Ｒ表面に、金属めっきによるめっき層１と、めっき層１の表面を被覆するコーティング層２とが形成されている（図５参照）。
【００３２】
めっき層１は、ボルトやナットの鉄素地Ｒに適した溶融亜鉛錫合金めっきにて形成されている。また、亜鉛めっきや溶融亜鉛めっきなどのめっき層１を形成するなど、他の金属めっきでめっき層１を形成することも可能である。
【００３３】
一方、コーティング層２は、金属メッキの表面を被覆することで、異種金属との接触を防止する。このコーティング層２は、例えば、シリカ系コーティング剤やフッ素系コーティング剤にて形成される。
【００３４】
これらのコーティング剤は、溶融亜鉛錫合金めっきの他、めっき亜鉛めっきや溶融亜鉛めっきなどのめっき層１を被覆するコーティング層２としても使用可能である。更に、コーティング剤は、金属メッキ層に被覆可能なコーティング剤の中から任意に選択することも可能である。
【００３５】
図示例では、鉄素地Ｒ表面に３５μｍ厚のめっき層１を形成し、このめっき層１の表面に１μｍ厚のコーティング層２を形成している（図５参照）。これら各層の厚みは、鉄素地Ｒの素材や金属メッキの種類等により、任意に変更できるものである。
【００３６】
本考案では、座金付ボルト１０の中ボルト１１や平座金１２、皿ばねナット２０の六角ナット２１や皿ばね座金２２を、前記JASS6鉄骨工事に準拠する規定の中から組み合わせておくことで、作業能率を格段に上げることができる。すなわち、座金付ボルト１０は、JIS B1180に規定される中ボルト１１と、JIS B1256に規定される平座金１２とで構成され、皿ばねナット２０は、JIS B1181に規定される六角ナット２１と、JIS B1252に規定される皿ばね座金２２とで構成されている。
【００３７】
本考案の連結構造は、接合部母材Ｐ側から接合材Ｑに座金付ボルト１０を貫通させた状態で、中ボルト１１の頭部と平座金１２とを接合部母材Ｐ側に圧着する。次に、中ボルト１１に皿ばねナット２０をネジ止めし、この皿ばねナット２０を接合材Ｑ側に圧着して鋼構造建築物を連結するものである（図４参照）。
【００３８】
図示例では、接合部母材Ｐを軽量間柱とし、接合材Ｑのチャンネル材をアングル材として連結した状態を示している（図４参照）。このように、本考案の連結構造は、鋼構造建築物における各種のボルト接合に使用されるものである。
【００３９】
尚、本考案ボルトの構造、寸法、材質などは図示例に限定されるものではなく、本考案の要旨を変更しない範囲で任意に変更することができるものである。
【符号の説明】
【００４０】
Ｐ  接合部母材
Ｑ  接合材
Ｒ  鉄素地
１  めっき層
２  コーティング層
１０  座金付ボルト
１１  中ボルト
１１Ａ  表示部
１２  平座金
２０  皿ばねナット
２１  六角ナット
２２  皿ばね座金
３０  六角ボルト
３１  六角ナット
３２  平座金
３３  ばね座金
【図１】
0003230995.tif 000003
【図２】
0003230995.tif 000004
【図３】
0003230995.tif 000005
【図４】
0003230995.tif 000006
【図５】
0003230995.tif 000007
【図６】
0003230995.tif 000008